Podtech/llm-jp-corpus-v4-ja_patent huggingface dataset:
(57)【要約】      （修正有）【課題】針や糸の絡みを防止すると共に、仕掛けの収納がより早く出来るようになる。【解決手段】問題を解決するために２枚の軟プラスチック板１の間に釣針を取り込み、スポンジ２の押える力によつて針や糸の絡みを防止するものである。【選択図】図１
0003119488.tif 000002
【実用新案登録請求の範囲】
【請求項１】
軟プラスチック２枚を重ねその中にスポンジを設けた釣針止メ具
【考案の詳細な説明】
【技術分野】
【０００１】  この考案は釣仕掛け及び釣針の収納に関するものである。
【背景技術】
【０００２】  これまでの仕掛け巻きは、針の位置を決めてから何度も取り込みをして面倒な作業のものである。
【考案の開示】
【考案が解決しようとする課題】
【０００３】  これまでは、次のような問題があった。
仕掛け収納は針までのエダスが邪魔になり収納に手間がかかつた
また仕掛け糸取り出し時には、糸どうしが絡み合い大変だつた。
【課題を解決するための手段】
【０００４】  本考案はこの問題を解決するために２枚のプラスチック板１の間に釣針を取り込み、スポンジ２の押える力によつて針や糸の絡みを防止するものである。
【考案の効果】
【０００５】  本考案により、針や糸の絡みを防止すると共に、仕掛けの収納がより早く出来るようになる。
特にもサビキなどの針の多いものには最も効果が期待できると思う。
【考案を実施するための最良の形態】
【０００６】（イ）２枚の軟プラスチック板１は、３のスポット溶接及び指でつまむための持ち部の４の圧着溶接により成り立つている。
（ロ）針はめくれ部５から針先を入れ３のスポツト部を針の曲がり部に入れスポンジ２のテーパ部６より針のチモト部を入れスポンジ２で糸と針を固定して下方向に引き糸のたるみを取る。
（ハ）２枚の軟プラスチックの間にスポンジ２を取り付け、スポンジ２の押える力によつて針や糸の絡みを防止するものである。
以上の作業後糸巻き板などに巻く
【図面の簡単な説明】
【０００７】
【図１】  本考案の正面図である。
【図２】  本考案の横面図
【符号の説明】
【０００８】１    プラスチック板
２    スポンジ
３    スポット
４    圧着溶接
５    めくれ部
６    スポンジテーパ部
７    本糸
【図１】
0003119488.tif 000003
【図２】
0003119488.tif 000004
(57)【要約】      （修正有）【課題】痴呆、認知症などの障害における介護者及び関わる人々とのコミュニケーションの難点の緩和と円滑性を向上する。【解決手段】話しことばという音声より、画面上における、書きことば（文字）を重視することで、コミュニケーションをよりはかる。また、本物の動物を模すことで、感触も含めた愛着効果にも配慮する。【選択図】図１
0003119422.tif 000002
【実用新案登録請求の範囲】
【請求項１】
（１）介護福祉用ペット型コミュニケーション機器
【考案の詳細な説明】
【背景理論】
【０００１】痴呆、認知症などの障害における、介護者及び、関わる人々とのコミュニケーションの難点の緩和と、円滑性を、より高める為、話しことばより、書きことばを重視する大脳生理学より
〔考案が解決しようとする課題〕
【０００２】痴呆、認知症などの障害における、介護者及び、関わる人々とのコミュニケーションの難点の緩和と、円滑性の向上
〔課題を解決するための手段〕
【０００３】話しことばという音声より、画面上における、書きことば（文字）を重視することで、コミュニケーションをよりはかる。
又、本物の動物を模すことでの（感触も含める）、愛着効果にも配慮する。
〔考案の効果〕
【０００４】痴呆、認知症などの障害における、介護者及び、関わる人々とのコミュニケーションの改善、向上
〔実施の形態〕
図面による
【図１】
0003119422.tif 000003
【図２】
0003119422.tif 000004
【図３】
0003119422.tif 000005
【手続補正書】
【提出日】平成17年10月13日(2005.10.13)
【手続補正１】
【補正対象書類名】明細書
【補正対象項目名】全文
【補正方法】変更
【補正の内容】
【考案の詳細な説明】
〔背景理論〕
【０００１】痴呆、認知症などの障害における、介護者及び、関わる人々とのコミュニケーションの難点の緩和と、円滑性を、より高める為、話しことばより、書きことばを重視する大脳生理学より
【考案が解決しようとする課題】
【０００２】痴呆、認知症などの障害における、介護者及び、関わる人々とのコミュニケーションの難点の緩和と、円滑性の向上
【課題を解決するための手段】
【０００３】話しことばという音声より、画面上における書きことば（文字）を重視することで、コミュニケーションを、よりはかる。又、本物の動物を模すことでの（感触も含める）、愛着効果にも配慮する。
【考案の効果】
【０００４】痴呆、認知症などの障害における、介護者及び関わる人々とのコミュニケーションの改善、向上
〔実施の形態〕
【０００５】プラスチックの成形体に、できるだけ、現物上に近い毛皮を装着。
以下図面による。
【図面の簡単な説明】
【０００６】
【図１】前面図
【符号の説明】
〔ａ〕非常時連絡スイッチ
非常時電話機能ネコの鈴を引くだけで緊急連絡先へ通報できるようにする。
連絡先は２ヶ所程設定（介護者、公共機関等）自動選択機能付き、
形状はピンポン玉大位
〔ｂ〕表示パネル
スケジュール表示機能及び管理機能
確認タッチセンサー形式で、確認センサーは時刻対応付確認後、次の表示へ移動
管理機能は、普段、身のまわりの必要な物などの置き場所を表示する。この際、現在のお年寄りが幼い頃、誰もが関わっていたかるた形式にて表示する。
形状は縦９ｃｍ、横７ｃｍ程度
表示法は縦書き一行５〜６字、横３行位
〔ｃ〕確認用タッチセンサー
頭の一文字をタッチセンサーとし、確認時にタッチする。
〔ｄ〕アナログ時計
過去によくなじんでいたものとして、できればアナログ式を使用
〔その他の機能〕
手の平をネコの背に置くと、発汗量や血液中酸素量体温などが、はかれる。普段とあまりに違う時は、連絡先へ通報が行く
頭部に集音マイク内蔵、後部にスピーカー内蔵
〔図２〕後面図
〔ｅ〕操作用キーボードＩ
キーボード及び、スケジュール以外の確認表示パネル
〔ｆ〕操作用キーボードＩＩ
入力操作等のキーボード
【手続補正２】
【補正対象書類名】図面
【補正対象項目名】全図
【補正方法】追加
【補正の内容】
【図１】
0003119422.tif 000006
【図２】
0003119422.tif 000007
(57)【要約】【課題】  タックシールの代用となるものをノート本体より供給する。【解決手段】  ノートの綴じない側のページ上のスペースにミシン目の切れ込みを入れる。  これを折り返すことにより、用紙本体のミシン目に導かれる見出し状の紙片がタックシールとほぼ同様のはたらきをする。【選択図】  図２
0003119426.tif 000002
【実用新案登録請求の範囲】
【請求項１】
インデックス用タックシール等の代用となるミシン目を入れたノート・冊子等
【考案の詳細な説明】
【技術分野】
【０００１】  この考案は、ノート、メモ帳、手帳、ファイリング用紙、冊子等における綴じられる予定の、又はすでに綴じられた各ページに貼るインデックス用のタックシール、付箋等に代わる簡易見出しに係わる考案である。
【背景技術】
【０００２】  従来、インデックス用のタックシール、付箋等（以下、タックシールで代表する）をノート、手帳、メモ帳、手帳、ファイリング用紙、冊子等（以下、ノートで代表する）に貼り付けたり、挟んだりして再度検索を必要とするページのしるしとしたり、該当するページの内容等を表示していた。
【考案の開示】
【考案が解決しようとする課題】
【０００３】  考案は、このタックシールを使わないで該当するノートのページの内容を簡便に表示するものである。
【課題を解決するための手段】
【０００４】  ノート本体の綴じない側のページ上のスペースに予めタックシールの形状をしたミシン目の切れ込みを入れ、これを必要に応じて折り返すことにより、用紙本体のミシン目に導かれる見出し状の紙片が、タックシールの代用としてのはたらきをするものである。
【考案の効果】
【０００５】  ミシン目に沿って用紙本体を折り返せば、タックシールを貼るのと同様に該当するページのしるしとなり、このノートからはみ出した部分に簡単な表題等を記すことができる。また、不要となったものは元の台紙側（内側）に折り戻すことにより元通りノート本体からの突出をなくすことができる。【０００６】  以下、本考案の実施例について説明する。
ノート本体の各ページは、ある程度の腰をもったものがインデックスとしては好ましい。また、ミシン目はノートのページを繰る際に破れないように結束性のよいものを選択する。
学習帳などにあっては、予め動植物の絵を印刷したり、形状を工夫したり、「頑張れ」、「もう一息」などの文字を印刷するとよい。
【図面の簡単な説明】
【０００７】
【図１】  本考案の平面図である。
【図２】  本考案の平面図である。
【符号の説明】
【０００８】    １  ノート（使用前）
２  ノート（使用後）
３  折り返し部（使用前）
４  折り返し部（使用後）
５  ミシン目（使用前）
【図１】
0003119426.tif 000003
【図２】
0003119426.tif 000004
【手続補正書】
【提出日】平成17年11月29日(2005.11.29)
【手続補正１】
【補正対象書類名】実用新案登録請求の範囲
【補正対象項目名】請求項１
【補正方法】変更
【補正の内容】
【請求項１】
インデックス用タックシール等の代用となるミシン目を入れたノート・冊子。
【手続補正２】
【補正対象書類名】明細書
【補正対象項目名】０００１
【補正方法】変更
【補正の内容】
【０００１】この考案は、ノート、メモ帳、手帳、ファイリング用紙、冊子における綴じられる予定の、又はすでに綴じられた各ページに貼るインデックス用のタックシール、付箋に代わる簡易見出しに係わる考案である。
【手続補正３】
【補正対象書類名】明細書
【補正対象項目名】０００２
【補正方法】変更
【補正の内容】
【０００２】  従来、インデックス用のタックシール、付箋（以下、タックシールで代表する）をノート、手帳、メモ帳、手帳、ファイリング用紙、冊子（以下、ノートで代表する）に貼り付けたり、挟んだりして再度検索を必要とするページのしるしとしたり、該当するページの内容を表示していた。
【手続補正４】
【補正対象書類名】明細書
【補正対象項目名】０００５
【補正方法】変更
【補正の内容】
【０００５】  ミシン目に沿って用紙本体を折り返せば、タックシールを貼るのと同様に該当するページのしるしとなり、このノートからはみ出した部分に簡単な表題を記すことができる。また、不要となったものは元の台紙側（内側）に折り戻すことにより元通りノート本体からの突出をなくすことができる。
(57)【要約】      （修正有）【課題】胸ポケットに眼鏡を入れた時のふくらみを解消し、眼鏡を固定する力と、入れ物自体を軽く固定する力を持たせ、さらに出し入れの手間を軽減する眼鏡入れである。【解決手段】軽く握ればたわみ、通常は平らになろうとする弾力板の張力を利用し、眼鏡を圧迫固定する方式の眼鏡入れである。弾力板の張力は入れ物表面の摩擦によってポケットを平らに整えながら、軽く眼鏡入れを固定する。さらにこの方式は眼鏡入れを軽く握って力加減で開閉でき、従来のものに比べ、出し入れの手間を感じない。【選択図】図１
0003119423.tif 000002
【実用新案登録請求の範囲】
【請求項１】
片手で握ればたわみ通常は平らな弾力板の張力で、中身を圧迫固定する眼鏡入れ
【考案の詳細な説明】
【技術分野】
【０００１】  本考案は、弾力板の張力により、眼鏡を圧迫固定する眼鏡入れに関するものである。
【背景技術】
【０００２】  老眼鏡は、かけはずしが頻繁であり、その在りかを失念しがちである。【０００３】  失念による事故や紛失を防ぐ方法の一つに、はずした動作から胸ポケットに入れる流れの習慣化があるが、この場合、従来の眼鏡入れを利用すると不具合が生じる。
【考案の開示】
【考案が解決しようとする課題】
【０００４】  従来の眼鏡入れでは、ポケットがふくらむ方向に力がかかり過ぎるため、衣類の身頃をひずませ、且つポケットの中身のすべりを生じさせる。【０００５】  従来の眼鏡を出す動作は、指で金属製板バネをたわめたり、指でふたを開閉するため、ケースの開閉に注意を奪われ、手間を感じる。
【考案を解決するため手段】
【０００６】  本考案は、片手で握って軽く力を入れればたわみ、通常は平らになる弾力板の張力で眼鏡を圧迫固定する入れ物の表面の摩擦力がポケットを平らにする方向に働き、握って開閉する動作が手間を感じさせないことにより、二つの課題を同時に解決している。
【考案の効果】
【０００７】  本考案は、衣類の形態をくずしにくい眼鏡入れであるため、衣類のおしゃれなアクセントとしての活用も期待でき、中身入れ物ともに動かないので、使用感が軽く、開閉が簡単で使う気を起こさせる。
【考案を実施するための最良の形態】
【０００８】  弾力板は片手で軽く握ってたわめられる形と張力の物とし、一枚に袋を取り付けるか、二枚の両側を接合する。眼鏡に圧着する側に、眼鏡拭き等機能のある繊維をつけ、表面は布などでおしゃれ且つ摩擦力を高めるよう仕上げる。
【実施例】
【０００９】  以下、添付図面に従って、一実施例を説明する。二枚の弾力板の表面に布地を接着させて覆い、内側に眼鏡拭きで袋を付けた物である。
【図面の簡単な説明】
【００１０】
【図１】本考案の弾力板式眼鏡入れの一実施例を示す正面図である。
【図２】本眼鏡入れの一部切欠断面図である。
【符号の説明】
【００１１】  １  弾力板
２  眼鏡保護袋
３  表装
【図１】
0003119423.tif 000003
【図２】
0003119423.tif 000004
【手続補正書】
【提出日】平成17年11月4日(2005.11.4)
【手続補正１】
【補正対象書類名】実用新案登録請求の範囲
【補正対象項目名】全文
【補正方法】変更
【補正の内容】
【実用新案登録請求の範囲】
【請求項１】
二枚の弾性版を両側で接合して、その両側を押さえることによって、前記二枚の弾性版が、お互いに離れる方向にたわんで、両弾性版の間に眼鏡を収納する空間が形成される事を特徴とする眼鏡入れ。
(57)【要約】【課題】本考案は、旅行などに持ち運びのできるハンガーを提供します。【手段】ハンガー本体を数段のスライド式により小さく縮め、持ち運びし易くします。【選択図】  図１
0003119428.tif 000002
【実用新案登録請求の範囲】
【請求項１】
スライド式により、小さく縮めることのできるハンガー
【請求項２】
スライド式ハンガーに洗たくバサミを配備したハンガー
【考案の詳細な説明】
【技術分野】
【０００１】本考案は、ハンガーに関するもので、旅行などに持ち運びができるようスライド式により、小さく縮めることのできるハンガーである。
【背景技術】
【０００２】従来のハンガーは形が固定しているか、又は折りたたみ式である。
【考案の開示】
【考案が解決しようとする課題】
【０００３】従来の固定型のハンガーは旅行に持ち運びが不便である。又、折りたたみ式のハンガーも２つ折りが限界であり、旅行に持っていくのに不便である。
本考案は、以上の問題点を解決するためになされたものである。
【課題を解決するための手段】
【０００４】ハンガー本体は、数段のスライド式にして小さく縮める。
フックは、上下左右に回転できる。
ハンガー本体下部に洗たくバサミを数個配備する。
本考案は、以上の構成からなるスライド式ハンガーである。
【考案の効果】
【０００５】本考案を使用することにより、ホテル備え付けの不衛生なハンガーを使用することなく、自分専用のハンガーによる衣服の管理が可能になる。
【考案を実施するための最良の形態】
【０００６】図１は、ハンガー本体１をスライドして伸ばし、実際に使用するときの状態図である。【０００７】図２は、ハンガー本体１をスライドして縮めた状態図で、回転フック２は内側に回転収納し、洗たくバサミ３も反対側を挟む状態で、よりコンパクトに収納した。
【図面の簡単な説明】
【０００８】
【図１】本考案の使用時における正面図
【図２】本考案をスライドしてコンパクトに収納した図
【符号の説明】
【０００９】１  スライド式ハンガー本体
２  回転式フック
３  洗たくバサミ
【図１】
0003119428.tif 000003
【図２】
0003119428.tif 000004
【手続補正書】
【提出日】平成17年11月10日(2005.11.10)
【手続補正１】
【補正対象書類名】実用新案登録請求の範囲
【補正対象項目名】全文
【補正方法】変更
【補正の内容】
【実用新案登録請求の範囲】
【請求項１】
内部が中空の筒であるハンガーの中央部分に、両側から、同じく内側が中空で口径が小さい筒が数段にわたって中央部分の内部に向かって入り込み、最後に両端の部分が入り込んで横幅が小さく縮まる構造のスライド式ハンガー。
【請求項２】
請求項１記載のスライド式ハンガーに数個の洗たくバサミを備えたことを特徴とするスライド式ハンガー。
(57)【要約】【課題】凸凹なショウガでも皮を削り易くする。【解決手段】把手部（２）の先端に削り部（１）を取付、その先端縁部（３）でこすり取ることを特徴とするものである。【選択図】図１
0003119467.tif 000002
【実用新案登録請求の範囲】
【請求項１】
把手部（２）に削り部（１）を設けた構造のショウガの皮取り具であって、前記把手部（２）は太くし、前記削り部（１）は先端縁部（３）を薄くしたことを特徴とする、ショウガの皮むき具。
【考案の詳細な説明】
【技術分野】
【０００１】本考案は、ショウガの皮むき具に関するものである。
【背景技術】
【０００２】従来より、ショウガの皮をむく場合は包丁が使用されている。
【考案の開示】
【考案が解決しようとする課題】
【０００３】しかし、従来の技術には次のような欠点があった。
ショウガは表面に凸凹があるため包丁ではとてもむきずらく、皮だけでなく身の方まで取ってしまう事が多く。また凸凹があるため、とても皮をむくのが困難であった。本考案は以上の問題点をなくすためになされたものである。
【課題を解決するための手段】
【０００４】本考案が提供するショウガの皮取り具は、把手部（２）に削り部（１）を設けた構造のもので、前記把手部（２）は太くし、前記削り部（１）は先端縁部（３）を薄くしたものである。
【考案の効果】
【０００５】本考案のショウガの皮取り具によれば、凸凹のあるショウガでも包丁で身をそぎ取ることなく、皮だけをこすり取ることが出来る。
【考案の実施するための最良の形態】
【０００６】以上、本考案を実施するための最良の形態を実施例によって説明する。
把手部（２）は手によって把持されやすい様に全体を太く形成し、その先端に削り部（１）を取付けてある。削り部（１）の先端縁部（３）は皮を削り取るために、前縁部が薄くなっている。
【実施例】
【０００７】図１は実施例のショウガの皮取り具を示す。
図において、２は把手部、１はこの把手部１に設けた削り部である。把手部２は握り易くするために、また力が入り易くするために太くしてある。
削り部１の先端縁部はショウガを削り易くするために薄くしてある。
【図面の簡単な説明】
【０００８】
【図１】実施例のショウガの皮取り具の斜視図である。
【符号の説明】
１  削り部
２  把手部
３  先端縁部
【図１】
0003119467.tif 000003
(57)【要約】      （修正有）【課題】構成する部品を平板形状の半完成品で提供し、顧客が創造をめぐらしながら、商品に作り上げる。【解決手段】上方が開放している箱形部と、それを支える背板部とからなり、壁などに固定して利用される小物置にあって、構成する部品を平板上に展開した半完成品として提供し、顧客が手折り細工で部品を形成し、かつ組み立てて完成させる小物置棚。【効果】部品単位ごとに分解し、それぞれの部品を平板上に展開し、これに折り目と、部品同士の結合部を付加した半完成部品の創作によって実現できる。【選択図】図２
0003119468.tif 000002
【実用新案登録請求の範囲】
【請求項１】
上方が開口している箱形部と、それを支える平面を有する背板部とからなり、壁などに固定して利用される小物置であって、構成する部品のそれぞれが平板上に展開され、これに折り目と部品相互の結合部を有した半完成品形態をなし、顧客が手折り細工で部品を形成し、かつ組み立てて形作られる小物置棚。
【請求項２】
背板部には、反復使用が可能で、その接着跡に汚れを残さない、貼ってはがせる接着剤を有する、請求項１記載の小物置棚。
【考案の詳細な説明】
【技術分野】
【００１】本発明は、平板上に展開された部品モデルから、手折り細工を行って部品を形作り、結合部の差し込みによって部品同士を結合させる組み立て商品の技術に関するものである。その形状・大きさ・意匠などは、自由にデザインできる。
【背景技術】
【００２】一般にこの種の商品は、完成品の形状では包装がかさばり、物流効率が悪い、また陳列にも相応の場所が要求される。一方ノベルティ商品に要求されている個別名入れなどの追加処理が難しい課題を抱えている。本発明は、これらを解消しようと企画したものである。
【考案の開示】
【考案が解決しようとする課題】
【００３】斬新な商品デザインから、その部品を平板形状の半完成品で提供し、顧客が創造をめぐらしながら、商品を作り上げる手法を考案することである。
【課題を解決するための手段】
【００４】デザインに基づいてこれらを部品単位に分解し、個々の部品を平板上に展開し、これに折り目と、部品同士を結合する差し込み部を付加した半完成部品と、人目に映る部分にキャラクターや風景画などが随時に装飾できる手段によって実現できる。
【考案の効果】
【００５】本発明は、顧客参加を促す商品作りの楽しみを提供するもので、一般商品として、またノベルティ商品としても適切なものと言える。
一方、つい何処に置いたか忘れがちの小物品を、判り易い個所に整理できる利便性と、部屋の装飾品としても景観に潤いを与えることができる。
さらには、汚れを着けないので、取り付け場所を選ばず、また気軽に移設ができるので、部屋の模様替え、あるいは気分転換に寄与できる。
【考案を実施するための最良の形態】
【００６】小物置棚は、板紙、プラスチック、または金属板などの材料によって、容易に製作することができ、平板形状の利点を生かした吊り下げ袋などの包装により、扱い易い廉価な商品を提供できる。
またノベルティ商品として、顧客の要求に応じた、キャラクターや風景画、名入れなどの追加作業が容易に行なえる。
【実施例】
【００７】図１に、小物置棚の例を説明した斜視図を、図２に、組み立て手順を説明した斜視図を、図３に、平板形状に製作された背板部部品の例を、図４に、平板形状に製作された箱形部部品の例を、それぞれ図示している。【００８】図１に説明する小物置棚は、▲１▼箱形部と、▲２▼背板部と、▲２▼背板部の裏面に設けられた▲３▼接着剤、および▲４▼物品置部から構成される。▲１▼箱形部および▲２▼背板部には、商品価値の向上を狙ってキャラクター、風景画、販促宣伝などの装飾が行われている。収納される小物品は、▲４▼物品置部に置かれる。【００９】図２は、それぞれの部品の折り曲げ細工と、組み立て手法を説明している。まず各▲１０▼折り目でそれぞれ▲９▼折り曲げ方向に折り曲げる。つづいて▲５▼差し込み部１を▲６▼結合穴１へ、また▲５▼’差し込み部２を、▲６▼’結合穴２に差し込む、同様に▲７▼差し込み部３を▲８▼結合穴３へ差し込み、それぞれを直角に曲げれば、▲１▼箱形部と▲２▼背板部を結合させて完成する。この際、それぞれの差し込み部は接着を併用すれば、さらに強固な固定ができる。【０１０】図３は、平板形状に製作された背板部部品の例で、また図４は、同箱形部部品の例である。折り曲げのための▲１０▼折り目は点線で示され、曲げを容易にするための予備加工が施されている。▲１１▼ロック溝は、それぞれの差し込み部の根元に設けられ、対応する結合穴に勘合させてロックする役目を担っている。ノベルティ商品向け名入れなどの追加装飾は、この平板形状で行えば、容易に作業することができる。【０１１】請求項２に記載のように、壁などへの取り付け面に当たる▲２▼背板部の裏面には、貼って剥がせる▲３▼接着剤が設けられている。当該品は、繰り返しの使用に耐え、かつ取り付け跡に汚れを出さない特徴を有するものである。
【産業上の利用可能性】
【０１２】本発明は、単に小物品の置棚としての商品に留まらず、ノベルティ商品として販促宣伝への利用、さらには工作または折り紙細工の教材としても利用できるなど、より巾広い分野に応用できる。
【図面の簡単な説明】
【０１３】
【図１】  小物置棚の例を説明した斜視図である。
【図２】  組み立て手順を説明した斜視図である。
【図３】  平板形状に製作された背板部部品の例である。
【図４】  平板形状に製作された箱形部部品の例である。
【符号の説明】
【０１４】  ▲１▼箱形部
▲２▼背板部
▲３▼接着剤
▲４▼物品置部
▲５▼差し込み部１
▲５▼’差し込み部２
▲６▼結合穴１
▲６▼’結合穴２
▲７▼差し込み部３
▲８▼結合穴３
▲９▼折り曲げ方向
▲１０▼折り目
▲１１▼ロック溝
【図１】
0003119468.tif 000003
【図２】
0003119468.tif 000004
【図３】
0003119468.tif 000005
【図４】
0003119468.tif 000006
(57)【要約】      （修正有）【課題】パチンコ用およびスロット用の呼び出しランプ内に携帯電話機充電の為の充電用電源と外部接続用の充電用電源供給端子を設け、前記充電用電源供給端子に充電用電圧を供給し、各携帯電話機メーカー仕様で作成した充電用ケーブルを使用し、遊戯中に携帯電話機の充電を可能にする。【解決手段】パチンコ用およびスロット用の呼び出しランプに携帯電話機充電用供給電源と外部接続用の充電用電源供給端子２を設け、前記充電用電源供給端子２に充電用電圧を供給し、携帯電話機の多用途接続コネクターに適合し電源端子に互換を有したコネクタープラグと前記充電用電源供給端子２に互換を有する電源受電端子プラグを持った充電用ケーブルを使用し、前記充電用電源供給端子２と携帯電話機に接続することにより、遊戯中に携帯電話機の充電を可能にする機能を有することを特徴とする。【選択図】図１
0003119469.tif 000002
【実用新案登録請求の範囲】
【請求項１】
パチンコ用およびスロット用の呼び出しランプ内に携帯電話機充電の為の充電用供給電源と外部接続用の充電用電源供給端子を設け、前記充電用電源供給端子に充電用電圧を供給し、各メーカーの携帯電話機の多用途接続コネクターに適合するコネクタープラグの電源端子に互換を有したコネクタープラグと充電用電源供給端子に互換を有する電源受電端子プラグを持つ充電用ケーブルを各携帯電話機メーカー仕様でおのおの複数作成し、前記充電用ケーブルを充電用電源供給端子と携帯電話機の多用途接続コネクターに接続することにより遊戯中に携帯電話機の充電を可能にする機能を持つところを特徴とするパチンコ用およびスロット用の呼び出しランプ。
【考案の詳細な説明】
【技術分野】
【０００１】  本考案は、パチンコ用およびスロット用の呼び出しランプに携帯電話機充電の為の外部接続用の充電用電源供給端子端子を設け、充電用電圧を供給し、遊戯中に携帯電話機の充電を可能にする機能に関するものである。
【背景技術】
【０００２】  従来、パチンコ店において使用されているパチンコ用およびスロット用の呼び出しランプには、携帯電話機の充電を提供する機能は有しておらず、携帯電話機の普及に伴い遊戯客は不便をしいられている。
【考案の開示】
【考案が解決しようとする課題】
【０００３】  本考案は、パチンコ用およびスロット用の呼び出しランプに携帯電話機充電の為の外部接続用の充電用電源供給端子を設け、前記充電用電源供給端子に充電用電圧を供給し、各携帯電話機メーカー仕様で作成した充電用ケーブルを使用し、遊戯中に携帯電話機の充電を可能にする機能を有することを目的とする。
【課題を解決するための手段】
【０００４】  パチンコ用およびスロット用の呼び出しランプ内に携帯電話機充電の為の充電用電源と外部接続用の充電用電源供給端子を設け、前記充電用電源供給端子に充電用電圧を供給し、各メーカーの携帯電話機の多用途接続コネクターに適合するコネクタープラグの電源端子に互換を有したコネクタープラグと前記充電用電源供給端子に互換を有する電源受電端子プラグを持つ充電用ケーブルを各携帯電話機メーカー仕様でおのおの複数作成し、前記充電用ケーブルをパチンコ用およびスロット用の呼び出しランプに設けられた前記充電用電源供給端子と携帯電話機の多用途接続コネクターに接続することにより遊戯中に携帯電話機の充電を可能にする。
【考案の効果】
【０００５】  本考案により、パチンコ用およびスロット用の呼び出しランプから、異なるメーカーの携帯電話機においても遊戯中に充電することが可能になり、利便性の向上が図れるとともに、店舗においてもサービスの向上が図れる。
【考案を実施するための最良の形態】
【０００６】  パチンコ用およびスロット用の呼び出しランプ内に携帯電話機充電の為の充電用供給電源と外部接続用の充電用電源供給端子を設け、前記充電用電源供給端子に充電用電圧を供給し、各携帯電話機メーカー仕様の充電用ケーブルの必要とする充電用ケーブルを使用し、パチンコ用およびスロット用の呼び出しランプの前記充電用電源供給端子と携帯電話機を接続することにより、遊戯中に携帯電話機の充電が可能となる。
【実施例】
【０００７】  以下、図面により本考案の実施例を説明する。図１は全体図で、１はパチンコ用呼び出しランプ、３はスロット用呼び出しランプで、おのおの外部接続用の充電用電源供給端子２を有する。各呼び出しランプ内の充電用電圧は外部接続用の充電用電源供給端子２に供給される。【０００８】  図２は、各携帯電話機メーカー仕様の充電用ケーブルである。６は各携帯電話機メーカーの多用途接続コネクターに適合したコネクタープラグの電源端子に互換を有したコネクタープラグ、７はパチンコ用およびスロット用呼び出しランプの外部接続用の充電用電源供給端子に適合した電源受電端子プラグである。充電したい携帯電話機のメーカー仕様の充電用ケーブルを使用し、携帯電話機の多用途接続コネクターと充電用電源供給端子２を接続することにより遊戯中に携帯電話機の充電を可能とする。
【図面の簡単な説明】
【０００９】
【図１】本考案の実施例の全体図である。
【図２】各携帯電話機メーカー仕様の充電用ケーブルの全体図である。
【符号の説明】
【００１０】１  パチンコ用呼び出しランプ
２  充電用電源供給端子
３  スロット用呼び出しランプ
４  パチンコ台
５  スロット台
６  各携帯電話機メーカーの多用途接続コネクターに適合し電源端子に互換を有したコネクタープラグ
７  充電用電源供給端子に互換を有する電源受電端子プラグ
８  ケーブル
【図１】
0003119469.tif 000003
【図２】
0003119469.tif 000004
(57)【要約】      （修正有）【課題】使用中は、小物入れ使用時にはスリング自体を収納できる収納袋付きベビスリングの提供。【解決手段】８に袋状のポーチができ、ここに乳幼児を保持し、４ａ、４ｂを微調整することにより、ポーチ８に保持した乳幼児と使用者は密着でき、使用者は体の一部として負担が軽くなり、乳幼児は安心感を得ることができる。また使用者の大小や乳幼児の成長に合わせてポーチの大きさを自由に変えることが出来る。リング７に、収納袋を脱着することができスリング使用時にはお財布、ガーゼ、おしゃぶり、携帯電話などの小物を入れることが出来、リング７に着けることにより使用者は他にバックやカバンを持つ必要がないため、両手が空き安全である。【選択図】図１
0003119460.tif 000002
【実用新案登録請求の範囲】
【請求項１】
布の一方を中央に向かって、幅方向からみた両端から織り込んでいき厚みのある帯状にし、そこに２つのリングを通し、環状に形成して縫い、もう一方の開放された端を２つのリングに適宣通し、できた袋状内に乳幼児をいれることを特徴とするベビースリング。
【請求項２】
前記２つのリングの１つに着用時はおしゃぶりやガーゼなどの小物入れとしての袋、着脱時はスリング自体を収納し持ち運び可能な収納袋をとりつけられることを特徴とする請求項１記載のベビースリング。
【請求項３】
前記幅方向の両端から中央に向かって布を順に織り込むことにより、左右どちらの肩でも使用することができ、厚みができることによりパッドになり肩への負担を軽減することを特徴とするベビースリング。
【考案の詳細な説明】
【技術分野】
【０００１】
この考案は、乳幼児を抱っこ又はおんぶするための布と２つのリングで作られた乳幼児用スリングに関する。
【背景技術】
【０００２】
従来の乳幼児用スリングは長い布で形成されたものでかさばるので、不使用時には収納や携帯に不便であった。また使用中は乳幼児を抱えていて、小物の携帯が不便であった。
【考案の開示】
【考案が解決しようとする課題】
【０００３】
しかしながら、以上の技術によれば、使用中は小物入れ、使用時にはスリング自体を収納できる点を提供することを課題とする。
【課題を解決するための手段】
【０００４】
以上の課題を解決するために、考案は、収納ポーチ、バックなどの袋を備えることを特徴とするベビースリングである。
【考案の効果】
【０００５】
この考案によれば、収納袋は使用中にはお財布、ガーゼ、おしゃぶりなどの小物を入れることができ、他にバックやカバンなどを持つ必要がないため、スリング１つで外出ができる。
【０００６】
不使用時にはスリング自体を袋の中へ収納することができるので、携帯に便利である。
【０００７】
上記の収納袋はスリングのリングへ着脱できるため、袋だけ別に持つ必要もなく、紛失することも少ない。
【０００８】
上記の収納袋は取り付ける手段としてボタン、面ファスナー、スライドフック、バックルなどとすることができる。
【考案を実施するための最良の形態】
【０００９】
この考案の一実施形態を、図面に基づきこの考案の収納袋つきベビースリングについて説明する。
【００１０】
図１は収納袋つきベビースリングの使用状態を表す正面図であり図２は図１に示す収納袋つきベビースリングの製造工程を示す模式図である。
【００１１】
図２（ａ）が示す布の幅方向両端部２ａ、３ｂを中央１へ向かって半分に折る。同じように、図2(ｂ)で幅方向両端部３ａ、３ｂを中央に向かって半分に折る。図２（ｃ）で１の方の点線部を縫い、５と合わせて６の部分に２つのリングを通し、１と５を縫いつける。
【００１２】
図２（ｄ）の４を一度広げて幅方向両端より絞り、７の２つのリングに適宜通ることにより環状に形成され、使用者がタスキ掛けにすることによりベビースリングとして使用する。ここで、前記両端から中央に向かって織り込んだことにより左右どちらの肩でも使用可能である。
【００１３】
図１の８に袋状のポーチができ、ここに乳幼児を保持し、４ａ、４ｂを微調整することにより、ポーチ８に保持した乳幼児と使用者は密着でき、使用者は体の一部として負担が軽くなり、乳幼児は安心感を得ることができる。また使用者の大小や乳幼児の成長に合わせてポーチの大きさを自由に変えることができる。
【００１４】
図１のリング７に、収納袋図４を着脱することができる（図３）。収納袋（図４）は、スリング使用時にはお財布、ガーゼ、おしゃぶり、携帯電話などの小物を入れることができ、リング７に着けることにより使用者は他にバックやカバンを持つ必要がないため、両手が空き安全である。
【００１５】
収納袋（図４）はスリング不使用時にはスリング自体を収納することができ、携帯に便利であり枕やクッションとしても使用できる。
【００１６】
収納袋（図４）は開口部にテープ１０を取り付け、ボタン、面ファスナー、スライドフック、バックルなどでリング７に着脱することとする。（図３）
【００１７】
収納袋（図４）はテール（図３の４）の裏に取り付けることにより隠れて正面からは見えず気にならない。
【実施例】
【００１８】
この考案によるスリングは、上記のようにスリングのリングに収納袋を着脱できるようにすることで、スリング使用時には小物入れ、不使用時にはスリング自体の収納袋として使用することができ、枕、クッションなどとして使用することができる。
【図面の簡単な説明】
【００１９】
【図１】収納袋つきベビースリングの使用状態を示す正面図である。
【図２】収納袋つきベビースリングの製造工程を示す図である。
【図３】収納袋をベビースリングに取り付けた状態を示す透視図である。
【図４】収納袋の模式図である。
【符号の説明】
【００２０】
１  肩パット                  ２ａ・ｂ  布の幅方向端
４ａ・ｂ  テールの端          ５  １との接着部
６  リング接続部              ７  リング
８  ポーチ                    ９  ボタン
１０  テープ
【図１】
0003119460.tif 000003
【図２】
0003119460.tif 000004
【図３】
0003119460.tif 000005
【図４】
0003119460.tif 000006
(57)【要約】【課題】電源供給を一定の距離から操作する壁埋込式コンセントボックスを提供する。【解決手段】リモコン制御壁埋込式コンセントボックスは窓２、コンセント３、４、、ＰＩＣ本体５、赤外線受信ユニット６、リレードライブ８、９等から構成される。一定の距離から、壁埋込式コンセントボックスの電源を開閉することができる。【選択図】  図２
0003119454.tif 000002
【実用新案登録請求の範囲】
【請求項１】
赤外線受信ユニット、ＰＩＣ本体、リレードライブ等から構成された壁埋込式コンセントボックスの構造において、コンセントの上方に窓を設置し、赤外線受信ユニットに信号が入力することで、コンセントへの電力供給の開閉をおこなう。この際、ＰＩＣにより制御することを特徴とする、壁埋込式コンセントボックスの電力開閉構造。
【考案の詳細な説明】
【技術分野】
【０００１】  本考案は、ＰＩＣを使用した壁埋込式コンセントボックスに関するものである。
【背景技術】
【０００２】  図１に示すとおり、一般的な壁埋込式コンセントはプラグを差込み、電力の供給をするものである。一度プラグを差し込めば安定して電力を供給し続ける。しかしコンセントにプラグを指したままで電力供給の開閉を制御したい場合がある。その場合たとえば、子供部屋等で、誤ってプラグに触り感電する等が考えられる。
【考案の開示】
【考案が解決しようとする課題】
【０００３】  解決しようとする課題は、工場などでプラグの抜き差しの頻度が多い場合に、コンセント内部の電極が早期に磨耗すること。プラグを指したまま、一定の距離から電力供給を操作出来ない点があった。
【課題を解決するための手段】
【０００４】  本考案は、主にＰＩＣ、コンセントボックス、リレードライブユニット、３端子レギュレター、赤外線受信ユニット等から構成される。赤外線受信ユニットからＰＩＣに信号が送られるとＰＩＣが、プログラムに従って電源の開閉を行うことを最も重要な特徴とする。
【考案の効果】
【０００５】  本考案は壁コンセントボックスにプラグを指した状態で、一定の距離からリモコンを操作できる。これにより、手を触れることが無いので使用者は、安全に電源の開閉をすることができる。また、コンセント端子の無用な磨耗を防止し、あらかじめＰＩＣにプログラムした方法で電力を供給することができる利点がある。
【考案を実施するための最良の形態】
【０００６】  図２に示す通り、本考案の構造は、主にコンセント上方に窓２が設置され、その奥に赤外線受信ユニットが設置される。使用者が一定の距離から赤外線リモコンを操作することでコンセントへの電力供給を行う機能を持つ。【０００７】  本考案は、赤外線リモコン及びＰＩＣ回路を壁埋込型コンセントに応用したものでる。一般的な公知の壁埋込型コンセントは、本考案の特徴を持っておらず、電力の供給をプラグの抜き差しによって行っている。
【実施例】
【０００８】    実施例を図３に示す。赤外線リモコンからの信号を赤外線受信ユニット６が受信し、ＰＩＣ本体５が各リレードライブユニット８、９へ信号を送信する。各リレードライブユニットはＰＩＣ本体からの信号を受信し、ＡＣ１０５Ｖの電力の開閉を制御する。ＰＩＣ本体、赤外線受信ユニット、各リレードライブユニットへは３端子レギュレターよりＤＣ５Ｖのを供給する。
【図面の簡単な説明】
【０００９】
【図１】公知コンセントボックスの立体形状を示す。
【図２】本考案の分解立体図を示す。
【図３】本考案の立体図を示す。
【図４】本考案のブロック図を示す。
【符号の説明】
【００１０】１    枠
２    窓
３    コンセント１
４    コンセント２
５    ＰＩＣ本体
６    赤外線受光ユニット
７    ３端子レギュレター
８    リレードライブユニット１
９    リレードライブユニット２
１０  基盤
【図１】
0003119454.tif 000003
【図２】
0003119454.tif 000004
【図３】
0003119454.tif 000005
【図４】
0003119454.tif 000006
(57)【要約】      （修正有）【課題】ペーパーエプロンの紐で首に結ぶ事無くエプロンを使用者の首周りに装着でき、着脱を可能にした紙リングを使用する。【解決手段】ペーパーエプロンの装着部分を厚紙のリングを取り付け、弾性復元力を有し切り離した円形状の厚紙リングを配置した。【選択図】図１
0003119458.tif 000002
【実用新案登録請求の範囲】
【請求項１】
ペーパーエプロンの首掛け部に厚紙のリングを取り付けその上部を切断した紙素材の弾性復元力で装着できるように、円形状のプラスチック又は厚紙を配置し使用者の着脱を簡単にしたことを特徴としたペーパーリングエプロン。
【請求項２】
エプロン本体は吸収、撥水、発汗の技術のある紙素材で、カラー紙やプリントで形成されていることを特徴とする請求項1記載のペーパーリングエプロン。
【考案の詳細な説明】
【技術分野】
【０００１】
この考案はペーパーエプロンの紐の部分をワンタッチで何度も着脱できるようにネック部分を利用して、クラフトの弾性復元力の構造を力学から割り出した型をエプロンの紐に変わる部分に装着してエプロンの装着を便利にして使いやすくしたものである。
【背景技術】
【０００２】
従来、ペーパーエプロンは、衣服を汚さない為に、機内食や病院食、飲食店で使われているが、エプロンの機能面が従来から変わらず、着が煩わしい首の後ろに手を回して縛る紙紐タイプがほとんどで、幼児や高齢者は特に使い勝手が悪く、一度結びを取ると二度と使えない。ナプキンのように出されても煩わしいことから使われない事も多い。又はペーパーを止める付属のホルダーが別売り出付いているものがあるが、使用が複雑で特に高齢者幼児などには、使いにくいのが現状である。
【０００３】
すでに布素材では高齢者介護用分野で、ワンタッチエプロンとして在宅支援用として実施されている。
【０００４】
【特許文献１】実用新案登録3063552
【考案の開示】
【考案が解決しようとする課題】
【０００５】
この考案は、ペーパーエプロン紙紐型ではなくエプロンを使用者が何度も装着できるよう簡単な厚紙リングにしたことを課題とする。
【課題を解決するための手段】
【０００６】
上記課題を解決するためにこの考案が採った手段は、エプロンの首周りの装着部分に円形の厚紙又はプラスチックの弾性復元力を有した特殊な形態機能のリングを配置したことを特徴とし、エプロンは撥水、吸水、発汗、の加工紙で形成されていることを特徴とする。
【０００７】
更に、開発部分の下部は食事する時に衣服を汚さない程度の大きさの紙エプロンを有するもので、下部に食べこぼし食物を受け入れるポケットを形成したことを特徴とする。
【考案の効果】
【０００８】
この考案は特に機内食の狭い椅子に座って食事の場合に、身体を前かがみにならずに、着脱が出来る、紐タイプのように首を下げて結ばないので使用時に何度も着脱が可能で食事途中で席を立つ時も容易である。食後はナプキンとして使い、食べこぼしポケット付きもあり、機内を汚さない効果もある。
又今後高齢者が増加し出来るだけ自分で服を汚さないで食事を取るためのエチケットエプロンとして、ハンカチを持つと同じようにバックに入れておくような便利なものになるだろう。更に在宅高齢者の宅配サービスのお弁当にサービスとして簡単超楽ペーパーリングエプロンをセットでサービスする事などで、在宅高齢者が布のエプロンを洗濯する煩わしさから開放される。
又着脱が簡単なことから、自分でサッと出来るのでヘルパーのサポートが軽減される。
又高齢者に限らずファミリーレストランの子供用ペーパーリングエプロンをサービスとして出す事も売り上げに貢献するであろう。
本体が厚紙で構成されているため、再生紙の利用、燃やすことでの環境汚染防止、石油製品使用が少なくなる事も環境に貢献することにつながる利点になる。
子供から大人までの紙おむつの伸びを見れば明らかなように、便利な物を安価で必要な便利な開発できればそれを止めることは出来ない。
【考案を実施するための最良の形態】
【０００９】
この考案の好ましい実施の形態を、以下に詳細に説明する。図面を参照して、（１）この考案は、ネックの部分を結ぶタイプからワンタッチでエプロンを装着するリングの部分に弾性復元力学を適用したエプロンで構成され、ネック周りに安定した簡単着脱使用が出来る。
高齢者のみならず乳幼児から大人までの「大きさは大中小と異なる」が食事のシーンに適した所望の大きさと形状を有し、付着した汚れを簡単に除去し、食後はナプキンとして口周りの汚れをふき取ることも出来る利便性の高い形態のものである。
更に要介護者用に食べこぼしを受けるポケットを付けたものも含まれ、全て撥水、吸水、発汗、のある厚紙又はプラスチック、ポリエステル製品で作られるのがこのましい。
食事時間を快適に過ごせるために、明るい色やプリントがされたものであることが望まれる。
【産業上の利用可能性】
【００１０】
すでに始まっている少子高齢化の時代、高齢者は特に、出来るだけ他人の助けを必要としない快適な食生活を望んでいる。本考案によるペーパーリングエプロンはナプキンと同じく使い捨てで、衣服を汚す心配が無く、安価なもので、洗濯の必要が無く、洗剤、水の汚染防止にも貢献する。
特に歯医者さんでは、使いまわしのエプロンで患者は我慢させられている現状、ペーパーリングエプロンを提案できれば、より清潔な印象を受け、患者自身で装着できるので、
医者の手間もはぶける。患者も感染の不安が無い。
又安価なので、食産業すべてに利用でき、機内食用、駅弁当用、焼肉店、レストラン、介護施設、病院食用、コンビニ弁当、に箸を付けると同じように付帯する。駅弁では包装紙型のリングエプロンにして、包むリングエプロンとすれば、ゴミを少なくする事で環境汚染の防止にもつながる。
又家庭内での、高齢者のみならず、幼児の食事用エプロンとして、外での食事ようとして、バックの中に携帯用で利用される事が望まれる。
【００１１】
図１はペーパーエプロンの首賭け部（２）を厚紙リングで作った使い捨てペーパーエプロン。首賭け部は後方部で分断したリング状のものでここを開けて首に掛けるとリング状に戻るものである。
【００１２】
また外れにくいように係部図２（A〜D）を設けると更に安定する。
【図面の簡単な説明】
【００１３】
【図１】本考案による完成正面図
【図２】厚紙リングのバリエーションを示す。
【符号の説明】
【００１４】
１．  ペーパーリング
２．  厚紙リング
【図１】
0003119458.tif 000003
【図２】
0003119458.tif 000004
(57)【要約】      （修正有）【課題】小さく軽く、気軽にどこにでも置けて、携帯したい時は一束ずつ取り出せ、補充も簡単にできるポケットティッシュボックスを提供する。【解決手段】上蓋にティッシュ取り出し口とゴムをかける切れ込み又は穴をあけ、おさえ板との間にポケットティッシュの束をいくつか入れ、ゴムでおさえ、ボックスに納める。【選択図】図１
0003119442.tif 000002
【実用新案登録請求の範囲】
【請求項１】
ポケットティッシュをいくつか袋ごと収納でき、ティッシュ１枚１枚が取り出しやすく、補充することも簡単で、携帯する時には１袋ずつ取り出すこともできるポケットティッシュボックス。上蓋にティッシュ取り出し口とゴムがかかる切れ込み、又はゴムを通す穴をあけ、ポケットティッシュを袋ごとはさみボックスに入れる。ティッシュが少なくなっても、沈まず取り出しやすい。
【考案の詳細な説明】
【技術分野】
【０００１】本考案はポケットティッシュを収納し、１枚１枚ティッシュを取り出しやすくしたティッシュボックスに関するものである。
【背景技術】
【０００２】今、出回っているティッシュボックスは、一定量のティッシュが入り、ティッシュがなくなるとボックスも破棄する一回使い捨てのものである。そのティッシュボックスを美しく装うケースやカバーはあるが装飾としてのものであり、値段も高い。又、ポケットティッシュを収納するプラスチック製の容器はあるが、ティッシュを取り出しやすくする装置はティッシュの下におくプラスチックのバネ状のものであるため、上蓋でしっかりおさえる必要があり、重くなり、値段も高い。
【考案の開示】
【考案が解決しようとする課題】
【０００３】ティッシュボックスは、使いたい様々な場所に置いてあると便利であるが、従来のティッシュボックスは大きく、場所をとるため、どこにでもといわけにはいかなかった。又、プラスチック製のポケットティッシュボックスは重く値段も高いため、あまり普及していない。
【課題を解決するための手段】
【０００４】本考案は、上蓋内側にポケットティッシュをゴムでとめる、構造が単純なものである。
【考案の効果】
【０００５】上述のように構造が単純なため、軽く、小さく、コストもかからない。洗面台、机のひき出し、台所、ナイトテーブルなど様々な場所に邪魔にならずに置け、便利に使うことができる。又、ポケットティッシュを補充したり、携帯するとき一束ずつ取り出すのも簡単である。
【考案を実施するための最良の形態】
【０００６】上蓋１にティッシュ取り出し口２の穴とゴムをかける切れこみ３をもうけ、おさえ板４との間にいくつかのポケットティッシュをはさみ、箱６にかぶせる。ゴム５でティッシュがおさえられ、いつも上方の取り出し口にティッシュがあるため少なくなっても取り出しやすい。
なお、ティッシュを取り出す時、上蓋が浮かないように、又は美しく、又は軽くなど、いくつかの例が考えられるので、実施例と図で示す。
【実施例１】
【０００７】これは図２で示すように上述図１のものを四角い筒状のもの７（ティッシュの取り出し口の穴があいている）で被ったものである。上蓋が浮かず、ゴムが見えなくなり、美しさと堅牢性が増す。
【実施例２】
【０００８】これは図３で示すように、上蓋がかぶせの形状のもの。上蓋に取り出し口とゴムをかける切れ込みを入れ、切れ込みの入れていないかぶせの部分と角とで下の箱にしっかりと蓋がしまる。
【実施例３】
【０００９】これも図４で示すように上蓋がかぶせの形状のもの。上蓋に取り出し口と小さな穴をあけ、ゴムを通す。ポケットティッシュはゴムで押さえられている。作りが簡単で軽い。
【図面の簡単な説明】
【００１０】
【図１】  上蓋と押さえ板とティッシュをおさえるゴムの構造斜視図
【図２】  実施例１の斜視図
【図３】  実施例２の斜視図
【図４】  実施例３の斜視図
【符号の説明】
【００１１】      １  上蓋
２  ティッシュ取り出し口
３  切れ込み
４  おさえ板
５  ゴム
６  箱
７  筒
【図１】
0003119442.tif 000003
【図２】
0003119442.tif 000004
【図３】
0003119442.tif 000005
【図４】
0003119442.tif 000006
【手続補正書】
【提出日】平成17年11月2日(2005.11.2)
【手続補正１】
【補正対象書類名】実用新案登録請求の範囲
【補正対象項目名】全文
【補正方法】変更
【補正の内容】
【実用新案登録請求の範囲】
【請求項１】
ティッシュ取り出し口とゴムがかかる切れ込み、又はゴムを通す穴をあけた上蓋と、おさえ板とで、ポケットティッシュを袋ごとはさみボックスに入れられたポケットティッシュボックス。